(57)【要約】【課題】クロック信号の発生回路の操作方法を提供する。【解決手段】電圧検出器によりクロック信号をクロックツリー回路に伝送する工程と、電圧を電圧範囲内に維持するように、クロックツリー回路の電圧に基づいて前記クロック信号の周波数を調整する工程と、を含むクロック信号の発生回路の操作方法。【選択図】図３
2019220138.tif 000002
【特許請求の範囲】
【請求項１】
電圧検出器によりクロック信号をクロックツリー回路に伝送する工程と、
電圧を電圧範囲内に維持するように、前記クロックツリー回路の電圧に基づいて前記クロック信号の周波数を調整する工程と、
を含むクロック信号の発生回路の操作方法。
【請求項２】
前記電圧が電圧最大閾値より高い場合、前記クロック信号の前記周波数を増やす工程と、
前記電圧が電圧最小閾値より低い場合、前記クロック信号の前記周波数を減らす工程と、
を更に含む請求項１に記載のクロック信号の発生回路の操作方法。
【請求項３】
前記電圧は、前記クロックツリー回路の操作電圧である請求項１又は２に記載のクロック信号の発生回路の操作方法。
【請求項４】
信号発生回路により前記クロック信号を発生させる工程を更に含む請求項１〜３の何れか１項に記載のクロック信号の発生回路の操作方法。
【請求項５】
前記電圧検出器により前記クロックツリー回路の前記電圧を検出する工程を更に含む請求項１〜４の何れか１項に記載のクロック信号の発生回路の操作方法。
【請求項６】
クロックツリー回路と、
前記クロックツリー回路に結合されており、クロック信号を前記クロックツリー回路に伝送するための電圧検出器と、
を含み、
前記電圧検出器は、電圧を電圧範囲内に維持するように、前記クロックツリー回路の電圧に基づいて前記クロック信号の周波数を調整するクロック信号の発生回路。
【請求項７】
前記電圧検出器は、前記電圧が電圧最大閾値より高い場合、更に前記クロック信号の前記周波数を増やすことに用いられ、且つ前記電圧が電圧最小閾値より低い場合、更に前記クロック信号の前記周波数を減らすことに用いられる請求項６に記載のクロック信号の発生回路。
【請求項８】
前記電圧は、前記クロックツリー回路の操作電圧である請求項６又は７に記載のクロック信号の発生回路。
【請求項９】
前記電圧検出器は、前記クロック信号を発生させるための信号発生回路を含む請求項６〜８の何れか１項に記載のクロック信号の発生回路。
【請求項１０】
前記電圧検出器は、更に、前記クロックツリー回路の前記電圧を検出することに用いられる請求項６〜９の何れか１項に記載のクロック信号の発生回路。
【発明の詳細な説明】
【技術分野】
【０００１】
本願は、クロック信号の発生回路及びその操作方法に関し、特に、遅延ロックループ回路（Ｄｅｌａｙ  Ｌｏｃｋｅｄ  Ｌｏｏｐ；ＤＬＬ）のクロック信号の発生回路及びその操作方法に関する。
【背景技術】
【０００２】
クロック信号の発生回路（例えば、ＤＲＡＭ）の動作周波数が高くなると、データ出力時間（ｔＡＣ）は不安定になる。クロックツリーの電圧を安定させることは、出力時間を安定させる常用の方法である。そのため、クロックツリーの電圧を如何に安定させるかは、本分野で解決されようとする問題の１つである。
【発明の概要】
【０００３】
本願の一態様は、電圧検出器によりクロック信号をクロックツリー回路に伝送する工程と、電圧を電圧範囲内に維持するように、クロックツリー回路の電圧に基づいて前記クロック信号の周波数を調整する工程と、を備えるクロック信号の発生回路の操作方法を提供する。
【０００４】
一部の実施例において、前記電圧が電圧最大閾値より高い場合、前記クロック信号の前記周波数を増やす工程と、前記電圧が電圧最小閾値より低い場合、前記クロック信号の前記周波数を減らす工程と、を更に含む。
【０００５】
一部の実施例において、前記電圧は、前記クロックツリー回路の操作電圧である。
【０００６】
一部の実施例において、信号発生回路により前記クロック信号を発生させる工程を更に含む。
【０００７】
一部の実施例において、前記電圧検出器により前記クロックツリー回路の前記電圧を検出する工程を更に含む。
【０００８】
本願の別の態様は、クロック信号の発生回路を提供する。このクロック信号の発生回路は、クロックツリー回路と、クロックツリー回路に結合されており、クロック信号をクロックツリー回路に伝送するための電圧検出器と、を含み、電圧検出器は、電圧を電圧範囲内に維持するように、クロックツリー回路の電圧に基づいてクロック信号の周波数を調整する。
【０００９】
一部の実施例において、其中前記電圧検出器は、前記電圧が電圧最大閾値より高い場合、更に前記クロック信号の前記周波数を増やすことに用いられ、且つ前記電圧が電圧最小閾値より低い場合、更に前記クロック信号の前記周波数を減らすことに用いられる。
【００１０】
一部の実施例において、前記電圧は、前記クロックツリー回路の操作電圧である。
【００１１】
一部の実施例において、前記電圧検出器は、前記クロック信号を発生させるための信号発生回路を含む。
【００１２】
一部の実施例において、前記電圧検出器は、更に、前記クロックツリー回路の前記電圧を検出することに用いられる。
【発明の効果】
【００１３】
そのため、一部の実施例において、クロックツリー回路の操作電圧を安定させ、データ出力時間（ｔＡＣ）を安定させるために、クロック信号の発生回路及びその操作方法を提供する。
【図面の簡単な説明】
【００１４】
本発明の上記及び他の目的、特徴、メリット及び実施例をより分かりやすくするために、添付図面の説明は以下の通りである。
【図１】本願のある実施例によるクロック信号の発生回路を示す模式図である。
【図２】本願のある実施例による実験データを示す図面である。
【図３】本願のある実施例によるクロック信号の発生回路の操作方法を示す流れ図である。
【発明を実施するための形態】
【００１５】
以下、本発明の異なる特徴を実施するために、数多くの異なる実施例又は例証を提供して開示する。特殊な例証における素子及び配置については、下記検討で本開示を簡単化するために用いられる。検討された何れの例証も解説するためのものであり、如何なる形態で本発明又はその例証の範囲及び意味を制限することはない。このように、本開示は、異なる例証において、数字番号且つ／又はアルファベットを繰り返して引用することがある。これらの繰り返しは、簡単化及び解明するためのものであり、その自体は下記検討における異なる実施例且つ／又は配置の間の関係を指定しない。
【００１６】
明細書と特許請求の範囲にわたって用いられる用語（ｔｅｒｍｓ）において、特に明示されない限り、一般的に、それぞれの用語のこの分野に用いられる、ここで開示された内容と特殊な内容における普通の意味を有する。本開示の記述について、当業者を更に引導するために、本開示を述べるためのある用語は、下文又はこの明細書の別所で検討される。
【００１７】
本文に用いられる「結合」又は「接続」の何れも、２つ又は複数の素子が互いに直接実体的に又は電気的に接触し、又は互いに間接実体的に又は電気的に接触することを指してよい。「結合」又は「接続」は、２つ又は複数の素子の互いの工程や動作を更に指してよい。
【００１８】
本文において、様々な素子、アセンブリ、領域、層と／又はブロックを記述するために、「第１の」、「第２の」と「第３の」等の語彙を使用することは、理解される。しかしながら、これらの素子、アセンブリ、領域、層と／又はブロックは、これらの術語により制限されない。これらの語彙は、単一の素子、アセンブリ、領域、層と／又はブロックを区別するためのものだけである。そのため、本発明の本意から逸脱せずに、下文における第１の素子、アセンブリ、領域、層と／又はブロックは、第２の素子、アセンブリ、領域、層と／又はブロックと呼ばれてもよい。本文に用いられるように、「と／又は」という語彙は、列記された関連項目における１つ又は複数の如何なる組み合わせを含む。本願の文書に言及した「及び／又は」とは、挙げられた素子の何れ、全部又は少なくとも１つの任意の組み合わせを指す。
【００１９】
図１を参照されたい。図１は、本願のある実施例によるクロック信号の発生回路１００を示す模式図である。クロック信号の発生回路１００は、クロックツリー回路１１０と、電圧検出器１３０と、を含む。本願のある実施例において、電圧検出器１３０は、クロックツリー回路１１０に結合される。
【００２０】
操作の関係で、電圧検出器１３０は、クロックツリー回路１１０の電圧を検出してクロック信号ＣＬＫをクロックツリー回路１１０に伝送することに用いられる。電圧検出器１３０は、電圧を電圧範囲内に維持するために、電圧に基づいてクロック信号ＣＬＫの周波数を調整する。
【００２１】
本願のある実施例において、電圧検出器１３０により検出された電圧は、クロックツリー回路１１０の操作電圧ＶＤＤである。本願のある実施例において、電圧検出器１３０は、更に、検出された電圧が電圧最大閾値より高い場合、クロック信号ＣＬＫの周波数を増やすが、電圧が電圧最小閾値より小さい場合、クロック信号ＣＬＫの周波数を減らすことに用いられる。
【００２２】
図２を参照されたい。図２は、本願のある実施例による実験データを示す図面２００である。曲線Ｖ１は、電圧検出器１３０により検出された電圧を表す。曲線ＣＬＫは、電圧検出器１３０により出力されたクロック信号を表す。本願のある実施例において、曲線Ｖ１は、図１に示すクロックツリー回路１１０の操作電圧ＶＤＤを表す。
【００２３】
図２に示すように、時点ｔ１で、電圧Ｖ１が電圧最小閾値ＶＬＴより低いため、電圧検出器１３０は、クロック信号ＣＬＫの周波数を減らす。クロック信号ＣＬＫの周波数が低減すると、クロックツリー回路１１０を流れる電流は低減し、且つクロックツリー回路１１０のエネルギー消費も低減する。クロックツリー回路１１０のエネルギー消費が低減した後で、電圧ＶＤＤ（図１に示す）が増え、且つ電圧検出器１３０により検出された電圧Ｖ１も増える。
【００２４】
他方、時点ｔ２で、電圧Ｖ１が電圧最大閾値ＶＵＴより高いため、電圧検出器１３０は、クロック信号ＣＬＫの周波数を増やす。クロック信号ＣＬＫの周波数が増えると、クロックツリー回路１１０を流れる電流は増え、クロックツリー回路１１０のエネルギー消費も増える。クロックツリー回路１１０のエネルギー消費が増えた後で、電圧ＶＤＤ（図１に示す）も低減し、電圧検出器１３０により検出された電圧Ｖ１も低減する。
【００２５】
そのため、本願のある実施例において、電圧ＶＤＤを電圧範囲内に維持することができ、つまり、電圧ＶＤＤを電圧最大閾値ＶＵＴと電圧最小閾値ＶＬＴとの間に維持することができる。
【００２６】
本願のある実施例において、電圧最大閾値ＶＵＴは２Ｖであり、電圧最小閾値ＶＬＴは１Ｖである。本願のある実施例において、クロック信号ＣＬＫの周波数は、８００ＭＨｚ〜３２００ＭＨｚにある。電圧最大閾値ＶＵＴの値、電圧最小閾値ＶＬＴの値及びクロック信号ＣＬＫの周波数は、単に例示して説明するためのものであり、本願の実施形態は上記に限定されない。
【００２７】
また図１を参照されたい。本願のある実施例において、電圧検出器１３０は、信号発生回路１３５を含む。信号発生回路１３５は、クロック信号ＣＬＫを発生させることに用いられる。
【００２８】
本願のある実施例において、クロック信号の発生回路１００は、受信器１５０、ＤＬＬ（遅延ロックループ回路）回路１７０、及び出力回路１９０を更に含む。受信器１５０は、ＤＬＬ回路１７０に結合される。ＤＬＬ回路１７０は、クロックツリー回路１１０に結合される。クロックツリー回路１１０は、出力回路１９０に結合される。
【００２９】
操作の関係で、受信器１５０は、クロック源信号ＣＳＳを受信して、クロック源信号ＣＳＳに基づいて受信器信号をＤＬＬ回路１７０に伝送する。ＤＬＬ回路１７０は、受信器信号を受信して、受信器信号に基づいてＤＬＬ信号をクロックツリー回路１１０に伝送する。クロックツリー回路１１０は、ＤＬＬ信号及びクロック信号ＣＬＫを受信して、且つクロックツリー信号を出力回路１９０に伝送する。出力回路１９０は、クロックツリー信号に基づいて出力クロック信号を送り出す。
【００３０】
注意すべきなのは、クロック信号の発生回路１００は、例えば、ダブルデータレート（Ｄｏｕｂｌｅ  Ｄａｔａ  Ｒａｔｅ；ＤＤＲ）、同期ダイナミックランダムアクセスメモリ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ；ＳＤＲＡＭ）、ＤＤＲ２  ＳＤＲＡＭ、ＤＤＲ３  ＳＤＲＡＭ、ＤＤＲ４  ＳＤＲＡＭのような記憶装置に含まれてよい、又はクロック信号の発生回路を含む如何なる他の装置であってよい。
【００３１】
図３を参照されたい。図３は、本願のある実施例によるクロック信号の発生回路１００の操作方法３００を示す流れ図である。操作方法３００は、下記工程を含む。
【００３２】
Ｓ３１０  クロック信号をクロックツリー回路に伝送する。
【００３３】
Ｓ３３０  電圧を電圧範囲内に維持するように、クロックツリー回路の電圧に基づいてクロック信号の周波数を調整する。
【００３４】
容易に説明しまた理解させるために、図１と図３を合わせて参照されたい。上記工程は例示として説明するためのものである。追加の工程も本発明の実施形態の所望の範囲内にある。
【００３５】
工程Ｓ３１０において、クロック信号をクロックツリー回路に伝送する。本願のある実施例において、工程Ｓ３１０は、電圧検出器１３０により実行されてよい。例としては、電圧検出器１３０は、図１に示すクロックツリー回路１１０の操作電圧ＶＤＤを検出して、また検出された電圧に基づいてクロック信号ＣＬＫをクロックツリー回路１１０に伝送する。
【００３６】
工程Ｓ３３０において、電圧を電圧範囲内に維持するように、クロックツリー回路の電圧に基づいてクロック信号の周波数を調整する。本願のある実施例において、工程Ｓ３３０は、電圧検出器１３０により実行されてよい。例としては、検出電圧が電圧最大閾値より高い場合、電圧検出器１３０は、クロック信号ＣＬＫの周波数を増やすが、電圧が電圧最小閾値より低い場合、電圧検出器１３０は、クロック信号ＣＬＫの周波数を減らす。
【００３７】
図２と図３を合わせて参照されたい。時点ｔ１で、電圧Ｖ１が電圧最小閾値ＶＬＴより低いため、電圧検出器１３０は、クロック信号ＣＬＫの周波数を減らす。クロック信号ＣＬＫの周波数が低減すると、クロックツリー回路１１０を流れる電流は低減し、且つクロックツリー回路１１０のエネルギー消費も低減する。クロックツリー回路１１０のエネルギー消費が低減した後で、電圧ＶＤＤ（図１に示す）が増え、且つ電圧検出器１３０により検出された電圧Ｖ１が増える。
【００３８】
他方、時点ｔ２で、電圧Ｖ１が電圧最大閾値ＶＵＴより高いため、電圧検出器１３０は、クロック信号ＣＬＫの周波数を増やす。クロック信号ＣＬＫの周波数が増えると、クロックツリー回路１１０を流れる電流は増え、且つクロックツリー回路１１０のエネルギー消費が増える。クロックツリー回路１１０のエネルギー消費が増えた後で、電圧ＶＤＤ（図１に示す）は低減し、且つ電圧検出器１３０により検出された電圧Ｖ１も低減する。
【００３９】
そのため、本願のある実施例において、電圧ＶＤＤを電圧範囲内に維持することができ、つまり、電圧ＶＤＤは電圧最大閾値ＶＵＴと電圧最小閾値ＶＬＴとの間に維持されることができる。このように、クロックツリー回路１１０の操作電圧ＶＤＤがわりに安定であるので、クロック信号の発生回路１００のデータ出力時間（ｔＡＣ）も安定である。
【００４０】
また、上記例示は順次の示範工程を含むが、これらの工程は必ず示された順序で実行されるわけではない。異なる順序でこれらの工程を実行することも、本開示内容の考慮する範囲内にある。本開示内容の実施例の精神や範囲内で、必要に応じて手順を増やし、取って代わり、変更し及び/又はこれらの工程を省略してもよい。
【００４１】
本発明の実施形態を前述の通りに開示したが、これは、本発明を限定するものではなく、当業者であれば、本発明の精神と範囲から逸脱しない限り、多様の変更や修飾を加えてもよく、したがって、本発明の保護範囲は、後の特許請求の範囲で指定した内容を基準とするものである。
【符号の説明】
【００４２】
１００  クロック信号の発生回路
１１０  クロックツリー回路
１３０  電圧検出器
１３５  信号発生回路
１５０  受信器
１７０  ＤＬＬ回路
１９０  出力回路
ＣＬＫ  クロック信号
ＣＳＳ  クロック源信号
Ｖ１  曲線
ＶＬＴ  電圧最小閾値
ＶＵＴ  電圧最大閾値
３００  操作方法
Ｓ３１０〜Ｓ３３０  工程
【図１】
2019220138.tif 000003
【図２】
2019220138.tif 000004
【図３】
2019220138.tif 000005